(57)【要約】【課題】本発明は、芯材に外装を貼り付けた上製本仕様の装丁が施された後で収納部が形成される見栄えの良いディスクケースを提供する。【解決手段】ディスクケース１は、芯材１１を外装１２で包む、いわゆる上製本の仕様の装丁が施される。芯材１１は、第１の層２１と第２の層２２と第３の層２３とを備える。第１の層２１は、ディスク２を収める収納部３１の底部側に配置される。第２の層２２は、収納部３１の内周の一部を構成する切込部３３が予め設けられる。第３の層２３は、第２の層２２に対して第１の層２１と反対側に重ねられる。外装１２は、芯材１１の外周をくるむ第１の化粧シート２５と、この第１の化粧シート２５の縁部２５ａを覆い隠す第２の化粧シート２６とを備える。この装丁後に切込部３３と連続させて断裁部３４が切断されることによって、収納部３１が形成される。【選択図】      図１
2006117260.tif 000002
【特許請求の範囲】
【請求項１】
少なくとも３つの層が重ね合わされる芯材を外装で包む装丁が施されるディスクケースであって、
前記芯材は、
ディスク形状の情報記録媒体を収める収納部の底部側に配置される第１の層と、
前記収納部の内周の一部を構成する切込部が予め設けられ前記装丁後に前記切込部と連続させて前記収納部の内周の残りの部分を構成する断裁部が切断されることによって前記収納部が形成される第２の層と、
前記第２の層に対して前記第１の層と反対側に重ねられ前記装丁後に前記断裁部を切断すると同時に前記収納部の内周に沿って半周以上連続して前記外装とともに切開されることによって前記情報記録媒体を前記収納部へ挿入可能に開く扉が形成される第３の層とを備え、
前記外装は、
前記芯材の一方の側から外周を包んで前記芯材の他方の側の外縁まで連続して貼り合わされる第１の化粧シートと、
前記芯材の外周よりも内側で前記第１の化粧シートの端を覆って前記芯材の他方の側から貼り合わされる第２の化粧シートとを備える
ことを特徴とするディスクケース。
【請求項２】
前記芯材は、前記第１の層と前記第２の層との間に第４の層を備え、
この第４の層は、前記収納部の底部よりも広い面積を有する透光性の窓部材と、前記底部を覆う位置に前記窓部材を位置決めする枠部材とで構成され、
前記第１の層は、前記装丁後に前記外装とともに前記窓部材まで貫通する窓が設けられることを特徴とする請求項１に記載のディスクケース。
【請求項３】
前記切込部は、前記第２の層の厚みよりも広い幅に刳り貫かれていることを特徴とする請求項１に記載のディスクケース。
【請求項４】
少なくとも３つの層が重ね合わされる芯材を外装で包む装丁が施される葉を少なくとも１つ含む本体部が表紙で挟まれた図書であって、
前記芯材は、
ディスク形状の情報記録媒体を収める収納部の底部側に配置される第１の層と、
前記収納部の内周の一部を構成する切込部が予め設けられ前記装丁後に前記切込部と連続させて前記収納部の内周の残りの部分を構成する断裁部が切断されることによって前記収納部が形成される第２の層と、
前記第２の層に対して前記第１の層と反対側に重ねられ前記装丁後に前記断裁部を切断すると同時に前記収納部の内周に沿って半周以上連続して前記外装とともに切開されることによって前記情報記録媒体を前記収納部へ挿入可能に開く扉が形成される第３の層とを備え、
前記外装は、
前記芯材の一方の側から外周を包んで前記芯材の他方の側の外縁まで連続して貼り合わされかつ隣り合う頁へ部材が一続きにつながる第１の見開きと、
前記芯材の外周よりも内側で前記第１の見開きの端を覆って前記芯材の他方の側から貼り合わされかつ前記第１の見開きと反対側に隣り合う頁へ部材が一続きにつながる第２の見開きとを備える
ことを特徴とする図書。
【請求項５】
前記芯材は、前記第１の層と前記第２の層との間に第４の層を備え、
この第４の層は、前記収納部の底部よりも広い面積を有する透光性の窓部材と、前記底部を覆う位置に前記窓部材を位置決めする枠部材とで構成され、
前記第１の層は、前記装丁後に前記外装とともに前記窓部材まで貫通する窓が設けられることを特徴とする請求項４に記載の図書。
【請求項６】
少なくとも３つの層が重ね合わされる芯材を少なくとも一組備える芯材群を外装で包む装丁が施される表紙と、この表紙に挟まれる複数の葉からなる本体部を備える図書であって、
前記芯材は、
ディスク形状の情報記録媒体を収める収納部の底部として前記表紙の表側に配置される第１の層と、
前記収納部の内周の一部を構成する切込部が予め設けられ前記装丁後に前記切込部と連続させて前記収納部の内周の残りの部分を構成する断裁部が切断されることによって前記収納部が形成される第２の層と、
前記第２の層に対して前記第１の層と反対側に重ねられ前記装丁後に前記断裁部を切断すると同時に前記収納部の内周に沿って半周以上連続して前記外装とともに切開されることによって前記情報記録媒体を前記表紙の内側から前記収納部へ挿入可能に開く扉が形成される第３の層とを備え、
前記外装は、
前記芯材の前記第１の層の側から前記芯材群の外周を包んで前記第３の層側の外縁まで連続して前記芯材群に貼り合わされる表装シートと、
前記芯材の外周よりも内側で前記表装シートの端を覆って前記第３の層の側から貼り合わされる見返しとを備える
ことを特徴とする図書。
【請求項７】
前記芯材は、前記第１の層と前記第２の層との間に第４の層を備え、
この第４の層は、前記収納部の底部よりも広い面積を有する透光性の窓部材と、前記底部を覆う位置に前記窓部材を位置決めする枠部材とで構成され、
前記第１の層は、前記装丁後に前記表装シートとともに前記窓部材まで貫通する窓が設けられることを特徴とする請求項６に記載の図書。
【請求項８】
少なくとも３つの層が重ね合わされる芯材を外装で包む装丁が施されるディスクケースの製造方法であって、
ディスク形状の情報記録媒体を収める収納部の底部側に配置される第１の層と、前記収納部の内周の一部を構成する切込部が予め設けられた第２の層と、前記２の層に対して前記第１の層と反対側に配置される第３の層とを少なくとも重ね合せて芯材を構成する第１の工程と、
前記芯材の一方の側から外周を包んで前記芯材の他方の側の外縁まで連続して第１の化粧シートを貼り付ける第２の工程と、
前記芯材の外周よりも内側で前記第１の化粧シートの端を覆う第２の化粧シートを前記芯材の他方の側から貼り付ける第３の工程と、
前記第３の層の側から前記外装ごと前記収納部の内周となる位置に沿って半周以上連続して切開すると同時に、前記切込部と連続させて前記収納部の内周の残りの部分を構成する断裁部を切断する第４の工程と、
前記第４の工程で前記第２の層から切り離された中抜材を前記第４の工程で前記第３の層および前記外装に形成される扉を通して抜き取る第５の工程と
を順番に施工することを特徴とするディスクケースの製造方法。
【請求項９】
前記第１工程で、前記第１の層と前記第２の層との間に、前記収納部の底部よりも広い面積を有する透光性の窓部材と、前記底部を覆う位置に前記窓部材を位置決めする枠部材とで構成される第４の層が挟まれ、
前記第４の工程の前に、前記外装とともに前記第１の層を前記窓部材まで貫通する窓を設ける第６の工程が施工されることを特徴とする請求項８に記載のディスクケースの製造方法。
【発明の詳細な説明】
【技術分野】
【０００１】
本発明は、ディスク形状の情報記録媒体を収納するディスクケース、このディスクケースを一部に備える図書、およびこれらの製造方法に関する。
【背景技術】
【０００２】
ＣＤ（コンパクトディスク）やＤＶＤ（デジタルビデオディスクまたはデジタルバーサタルディスク）等の情報記録媒体の収納ケースとして、アクリル系樹脂等の硬質合成樹脂製やポリプロピレン製等の軟質合成樹脂製のものが一般に知られている。ＣＤやＤＶＤなどの情報記録媒体は、単価の低下にともない雑誌などの付録として添付される機会が増えている。これらのディスクケースは、書籍とともに装丁しやすいように紙で作られる。例えば、本として装丁される紙製の葉に直接ディスクを入れた袋を貼り付けるものがある。
【０００３】
また、開封後も収納ケースとして利用できることを目的としたＣＤホルダーがある（例えば、特許文献１参照。）。このＣＤホルダーは、表台紙と裏台紙との間に保護袋に入ったＣＤを挟んでいる。表台紙は、ＣＤより僅かに大きい円形孔を有している。ＣＤは、この円形孔に嵌る。また、円形孔を上下に二等分する直径を左右に延長した状態で短い折曲線を設け、途中につなぎ部を有する切込線を折曲線の両端から円形孔を囲むコの字形状に形成して開閉領域が作られている。保護袋は、出し入れ口が開閉領域側に向けられて台紙に挟まれる。保護領域を開封することでＣＤの出し入れができるようになる。また、このＣＤホルダーの側端に綴代部分を設け、これを綴じ込んだＣＤ付き本が特許文献２に開示されている。
【特許文献１】特開平７−１０１８０号公報
【特許文献２】特開平７−１８６６号公報
【発明の開示】
【発明が解決しようとする課題】
【０００４】
しかしながら、特許文献１に記載のＣＤホルダーや特許文献２に記載のＣＤ付き本では、外周縁部に裁断した断面が見えている。また、いわゆる上製本の表紙に見られるような、表面側から外周が一続きに包まれる装丁を上記ＣＤホルダーやＣＤ付き本に施そうとした場合、次のような問題が生じる。
【０００５】
例えば、上記ＣＤホルダを芯材として外装となる化粧紙で包む場合、既に形成されている円形孔および切込線を化粧紙が覆い隠すことになる。よって再び化粧紙に開放領域を形成するように裁断を行う必要がある。この場合、台紙にはすでに収納部が形成されており、内部は中空状態となっている。
【０００６】
このような状態で裁断を行うと、裁断装置の刃が中空部分に逃げてしまい、化粧紙をきれいに裁断することができない。したがって、ディスク収納ケースは、見栄えが悪いものとなる。このことは、いわゆる上製本などの図書の表紙としてディスク収容部を上記方法で設ける場合にも同じである。つまり、見返し用紙がすでに台紙に形成されている収納部及び開放部を覆い隠すことになる。
【０００７】
予め化粧紙に円形孔や切込線に対応する加工を施すことも考えられるが、これらがきれいに位置あわせされるように貼り合わせることは、かなり難しい。また、ずれが生じると見栄えを損なうだけでなく、切込線がずれると化粧紙が切込線と違う方向へ裂けることもある。
【０００８】
そこで本発明は、芯材に外装を貼り付けた上製本仕様の装丁が施された後で収納部が形成される見栄えの良いディスクケース、このディスクケースを一部に有する図書、およびこれらの製造方法を提供する。
【課題を解決するための手段】
【０００９】
本発明に係るディスクケースは、少なくとも３つの層が重ね合わされる芯材を外装で包む装丁が施されるディスクケースである。芯材は、第１の層と第２の層と第３の層とを備える。第１の層は、ディスク形状の情報記録媒体を収める収納部の底部側に配置される。第２の層は、収納部の内周の一部を構成する切込部が予め設けられ、装丁後に切込部と連続させて収納部の内周の残りの部分を構成する断裁部が切断されることによって、収納部が形成される。第３の層は、第２の層に対して第１の層と反対側に重ねられる。そして、第３の層は、装丁後に断裁部を切断すると同時に収納部の内周に沿って半周以上連続して外装とともに切開されることによって、情報記録媒体を収納部へ挿入可能に開く扉が形成される。外装は、第１の化粧シートと第２の化粧シートとを備える。第１の化粧シートは、芯材の一方の側から外周を包んで芯材の他方の側の外縁まで連続して貼り合わされる。第２の化粧シートは、芯材の外周よりも内側で第１の化粧シートの端を覆って芯材の他方の側から貼り合わされる。
【００１０】
また、芯材は、第１の層と第２の層との間に第４の層を備えることも好ましい。この場合の第４の層は、収納部の底部よりも広い面積を有する透光性の窓部材と、底部を覆う位置にこの窓部材を位置決めする枠部材とで構成される。そして、第１の層は、装丁後に外装とともに窓部材まで貫通する窓が設けられる。また、切込部は、第２の層の厚みよりも広い幅に刳り貫かれていることも好ましい。
【００１１】
本発明に係る図書は、少なくとも３つの層が重ね合わされる芯材を外装で包む装丁が施される葉を少なくとも１つ含む本体部が表紙で挟まれる。葉の芯材は、第１の層と第２の層と第３の層とを備える。第１の層は、ディスク形状の情報記録媒体を収める収納部の底部側に配置される。第２の層は、収納部の内周の一部を構成する切込部が予め設けられ、装丁後に切込部と連続させて収納部の内周の残りの部分を構成する断裁部が切断されることによって収納部が形成される。第３の層は、第２の層に対して第１の層と反対側に重ねられる。そして、第３の層は、装丁後に断裁部を切断すると同時に収納部の内周に沿って半周以上連続して外装とともに切開されることによって、情報記録媒体を収納部へ挿入可能に開く扉が形成される。外装は、第１の見開きと第２の見開きとを備える。第１の見開きは、芯材の一方の側から外周を包んで芯材の他方の側の外縁まで連続して貼り合わされ、かつ隣り合う頁へ部材が一続きにつながる。第２の芯材は、芯材の外周よりも内側で第１の見開きの端を覆って芯材の他方の側から貼り合わされ、かつ第１の見開きと反対側に隣り合う頁へ部材が一続きにつながる。
【００１２】
また、芯材は、第１の層と第２の層との間に第４の層を備えることが好ましい。この場合、第４の層は、収納部の底部よりも広い面積を有する透光性の窓部材と、底部を覆う位置に窓部材を位置決めする枠部材とで構成される。そして、第１の層は、装丁後に外装とともに窓部材まで貫通する窓が設けられる。
【００１３】
本発明に係る他の形態の図書は、表紙と本体部とを備える図書である。表紙は、少なくとも３つの層が重ね合わされる芯材を少なくとも一組備える芯材群を外装で包む装丁が施される。本体部は、表紙に挟まれる複数の葉からなる。芯材は、第１の層と第２の層と第３の層とを備える。第１の層は、ディスク形状の情報記録媒体を収める収納部の底部として表紙の表側に配置される。第２の層は、収納部の内周の一部を構成する切込部が予め設けられる。そして、第２の層は、装丁後に切込部と連続させて収納部の内周の残りの部分を構成する断裁部が切断されることによって収納部が形成される。第３の層は、第２の層に対して第１の層と反対側に重ねられる。この第３の層は、装丁後に断裁部を切断すると同時に収納部の内周に沿って半周以上連続して外装とともに切開されることによって、情報記録媒体を表紙の内側から収納部へ挿入可能に開く扉が形成される。外装は、表装シートと見返しとを備える。表装シートは、芯材の第１の層の側から芯材群の外周を包んで第３の層側の外縁まで連続して芯材群に貼り合わされる。見返しは、芯材の外周よりも内側で表装シートの端を覆って第３の層の側から貼り合わされる。
【００１４】
また、芯材は、第１の層と第２の層との間に第４の層を備えてもよい。この第４の層は、収納部の底部よりも広い面積を有する透光性の窓部材と、底部を覆う位置に窓部材を位置決めする枠部材とで構成される。そして、第１の層は、装丁後に表装シートとともに窓部材まで貫通する窓が設けられる。
【００１５】
本発明に係るディスクケースの製造方法は、少なくとも３つの層が重ね合わされる芯材を外装で包む装丁を施す。第１の工程では、ディスク形状の情報記録媒体を収める収納部の底部側に配置される第１の層と、収納部の内周の一部を構成する切込部が予め設けられた第２の層と、第２の層に対して第１の層と反対側に配置される第３の層とを少なくとも重ね合せて芯材を構成する。第２の工程では、芯材の一方の側から外周を包んで芯材の他方の側の外縁まで連続して第１の化粧シートを貼り付ける。第３の工程では、芯材の外周よりも内側で第１の化粧シートの端を覆う第２の化粧シートを芯材の他方の側から貼り付ける。第４の工程では、第３の層の側から外装ごと収納部の内周となる位置に沿って半周以上連続して切開すると同時に、切込部と連続させて収納部の内周の残りの部分を構成する断裁部を切断する。第５の工程では、第４の工程で第２の層から切り離された中抜材を第４の工程で第３の層および外装に形成される扉を通して抜き取る。
【００１６】
そして、第１工程で、第１の層と第２の層との間に、窓部材と枠部材とで構成される第４の層を挟んでも良い。窓部材は、収納部の底部よりも広い面積を有する透光性である。枠部材は、底部を覆う位置に窓部材を位置決めする。そして、第４の工程の前に第６の肯定が施工される。この第６の工程では、外装とともに第１の層を窓部材まで貫通する窓を設ける。
【発明の効果】
【００１７】
本発明に係るディスクケースによれば、収納部を装丁後に形成するので、収納部への開口部となる扉の断面において芯材と外装との位置ずれがなく、見栄えが良い。また、扉と反対側に窓を設けることも容易であり、このディスクケースを上製本仕様の図書の表紙に適用した場合、窓部の刳り貫きも扉の断面と同様に、断面がきれいに揃うため見栄えが良い。また、窓を設けることによって、ＣＤやＤＶＤなどの情報記録媒体が添付されていることが視認できるようになる。
【００１８】
また、本発明に係るディスクケースの製造方法によれば、芯材を外装で包んだ後で、収納部とこの収納部に通じる扉とを形成する裁断が行われる。したがって、扉や収納部の断面において、芯材と外装とのずれが生じないため見栄えが良い。また構成が簡単であり、複雑な作業を要しないので、安価に作ることができる。
【発明を実施するための最良の形態】
【００１９】
本発明に係る第１の実施形態のディスクケース１は、図１から図７を参照して説明する。ディスクケース１は、図１に示すように、円形のディスク２を入れる収納部３１と、これに通じる開口部３２を形成する扉３５とを有している。このディスク２は、情報記録媒体の一例であって、例えば、ＣＤやＤＶＤなどである。ディスクケース１の外面は、外装１２となる第１の化粧シート２５および第２の化粧シート２６で覆われている。収納部３１の底部には、透光性の窓部材２４ａが挿入されており、扉３５が設けられた側と反対側の面に設けられた窓３６から、収納部３１に収められたディスク２が視認できるようになっている。
【００２０】
このディスクケース１は、図２に示すように、芯材１１とこれを包む（くるむ）外装１２とを備える、いわゆる上製本の表紙と同じ作りを有している。芯材１１は、第１の層２１、第２の層２２、第３の層２３、第４の層２４の４つの層で構成されている。４つの層の外形は、同じ大きさである。外装１２は、芯材１１の外縁の四辺を包む十分な大きさを有した第１の化粧シート２５と、芯材１１の外縁を回り込んできた第１の化粧シート２５の縁部２５ａを芯材１１の外形よりも内側で覆い隠す大きさを有した第２の化粧シート２６とを備える。
【００２１】
第１の層２１は、収納部３１の底部側に配置されている。第１の層２１は、収納部３１の底部の面積よりも小さい開口面積の窓３６が設けられている。この窓３６は、外装１２で包まれた装丁後に、外装１２ごと刳り貫かれて形成される。
【００２２】
第２の層２２は、ディスク２の厚みよりも分厚く、ディスク２の外形よりもやや大きい収納部３１を形成する。収納部３１の内周面は、他の層と重ねられる前に設けられる切込部３３と、外装１２でくるまれた装丁後に切断されて作られる断裁部３４とで構成される。切込部３３は、図３に示すように、他の層と重ね合わせる前に予め設けられており、収納部３１の内周の一部を構成する。
【００２３】
断裁部３４は、芯材１１が外装１２で包まれた装丁後に図４に示す二点鎖線の位置に設けられ、切込部３３と連続させて収納部３１の内周の残りの部分を構成する。また、収納部３１に入れられたディスク２の縁２ａに指を掛けるために外装１２から第３の層２３を通して連続する切欠部３７が設けられている。
【００２４】
第３の層２３は、図２に示すように、第２の層２２に対して第１の層２１と反対側に重ねられる。第３の層２３は、収納部３１へディスク２を挿入可能に開く扉３５が形成されている。この扉３５は、収納部３１の内周に沿って半周以上連続して開口する。また、扉３５は、装丁後に断裁部３４を切断するのと同時に外装１２ごと切開されて作られる。したがって、図３に示すようにほかの層と重ねられる段階では、二点鎖線で示した部位が、まだ塞がっている。
【００２５】
第４の層２４は、第１の層２１と第２の層２２との間に挿入されている。第４の層２４は、窓部材２４ａと枠部材２４ｂとで構成されている。窓部材２４ａは、図５に示す形状であり、収納部３１の底部よりも広い面積を有する透光性の部材である。枠部材２４ｂは、窓部材２４ａの外形に対応した形状の孔４２を有している。窓部材２４ａは、枠部材２４ｂの孔４２に嵌まり込むことにより、収納部３１の底部を覆う位置に位置決めされる。枠部材２４ｂは、芯材１１の厚みが均一になるように挿入されるものである。したがって、窓部材２４ａと枠部材２４ｂとは、同じ厚みであることが好ましい。
【００２６】
また、窓部材２４ａは、芯材１１の中で動かないようにするために少なくとも１つ、本実施形態では２つ、の固定部３８と、収納部３１に入れられたディスク２の縁２ａに指を掛けるために用意された切欠部３７に対応して設けられる延長部３９とを有している。この延長部３９のみで窓部材２４ａを枠部材２４ｂに固定できるようであれば、固定部３８は不要である。
【００２７】
なお、窓部材２４ａとして適用される透光性の部材として具体的には、無色透明なアクリル製、ポリエチレンテレフタレート製、ポリプロピレン製、ポリスチレン製などの合成樹脂プレートが適当である。
【００２８】
第１の化粧シート２５は、芯材１１の一方の側となる第１の層２１から貼り付けられる。第１の化粧シート２５の縁部２５ａは、芯材１１の外周をくるんで、第３の層２３の外縁２３ａまで連続して貼り付けられている。第２の化粧シート２６は、芯材１１の他方の側となる第３の層２３から貼り合わされており、端２６ａが第１の化粧シート２５の縁部２５ａを覆っている。
【００２９】
続いてこのディスクケース１の製造方法について説明する。ディスクケース１の製造方法は、第１の工程である積層工程と、第２の工程であるくるみ工程と、第３の工程である第２化粧シート貼り付け工程と、第４の工程である裁断工程と、第５の工程である中抜工程と、第６の工程である窓開け工程とを有する。
【００３０】
まず、積層工程（第１の工程）では、図３に示すように、第１の層２１、第４の層２４、第２の層２２、第３の層２３の順に重ね合わせて、芯材１１を構成する。この段階で、第１の層２１に窓３６は刳り貫かれていない。第２の層２２は、装丁後に切断される断裁部３４と連続することで収納部３１を構成するように切込部３３が予め設けられている。第３の層２３は、扉３５のヒンジ部３５ａに相当する位置に折曲線４１が設けられているが、扉３５は、切開されていない。第４の層２４は、窓部材２４ａを枠部材２４ｂの孔４２に嵌めた状態で窓部材２４ａと枠部材２４ｂとがずれないように、粘着テープを用いて固定部３８を枠部材２４ｂに予め留められている。なお、第３の層に設けられる折曲線４１は、積層工程の前に設けられていることが好ましいが、後工程で型押しなどによって設けてもよいし、無くてもよい。
【００３１】
くるみ工程（第２の工程）では、第１の化粧シート２５が、芯材１１の第１の層２１の側からこの芯材１２の外周を包んで第３の層２３の側の外縁２３ａまで連続して、図３に一点鎖線Ａ１，Ａ２，Ａ３，Ａ４で示すように、貼り付けられる。これにより、芯材１１の外周側面が美しく仕上がる。
【００３２】
第２化粧シート貼り付け工程（第３の工程）では、芯材１１の第３の層２３の側からこの芯材１１の外周よりも内側で第１の化粧シート２５の縁部２５ａを覆い隠すように、第２の化粧シート２６が貼り付けられる。この結果、芯材１１は、外装１２できれいに覆われるとともに、第１の化粧シート２５の縁部２５ａが第２の化粧シート２６の端２６ａで隠れるので、見栄えがよい。
【００３３】
裁断工程（第４の工程）では、第２の化粧シート２６と第３の層２３と第２の層２２とをまとめて第４の層２４の手前まで、図４に示す二点鎖線に沿って、収納部３１の内周を構成する断裁部３４に沿って切断する。このとき第２の化粧シート２６と第３の層２３とは、収納部３１の内周に沿って半周以上連続して切開され、扉３５が形成される。また、切開された端部３４ａが第３の層２３に予め設けられた折曲線４１を越えると、扉３５を開け閉めすることによって、ヒンジ部３５ａの端末部３５ｂが避けることが無いのでよい。また、裁断工程と同時またはこれと前後して、収納部３１に入っているディスク２に指を掛けるための切欠部３７を設けるために、第２の化粧シート２６と第３の層２３と第２の層２２とを第４の層２４の手前まで切断する。
【００３４】
中抜工程（第５の工程）では、扉３５を通して、裁断工程によって第２層と分離された中抜材４４を抜き取る。この結果、芯材１１の中にディスク２を入れることのできる収納部３１が形成される。また、第２の層２２に予め設けられた切込部３３は、第２の層２２の厚みよりも大きい幅を有しているため、第２の層２２と切り離された中抜材４４を抜き取る際に、中抜材４４が収納部３１の内面と迫り合うことなく容易に抜き取ることができる。
【００３５】
窓開け工程（第６の工程）では、第１の化粧シート２５ごと第１の層２１を第４の層２４の手前まで貫通する。窓開け工程で開けられる窓３６の形状は、ディスク２の外形よりも内側の範囲であればどのような形状でもよい。本実施形態では、ディスク２よりやや小さめの円形に設けられている。これにより、窓部材２４ａが、収納部３１の底部を形成する。また、窓部材２４ａが透明であるため、収納部３１に収められたディスク２を視認することができる。
【００３６】
窓開け工程は、くるみ工程の後から中抜工程の前までの間であればどの段階で行ってもよい。各工程の作業内容から、裁断工程と前後して行われることが好ましい。中抜工程よりも前に行われることで、第１の化粧シート２５及び第１の層２１は、中抜材４４に支えられ、裁断機の刃から逃げることがない。したがって、窓３６がきれいに切り抜かれる。
【００３７】
以上のように構成されたディスクケース１の販売形態の１例を図７に示す。ディスクケース１は扉３５と切欠部３７に渡ってシール４５が貼られて販売される。このようにすることにより流通段階で扉３５が開かないように固定でき、収納されたディスク２の紛失を防ぐことができる。また書店等に並べられた状態で、内部に収納されたディスク２が抜き取られることを防止することができる。
【００３８】
本実施形態においては、切込部３３の形状として図３で示すような第２の層２２の厚みより広い幅で刳り貫かれた形状が採用されたが、この代わりに図８で示すようなライン状の切込部３３であっても良い。
【００３９】
また本実施形態においては、窓３６の形状は、図３で示すように、ディスク２よりやや小さめの円形とした。これの代わりに図９で示すような矩形形状の窓３６ａや扇型形状の窓３６ｂを採用してもよい。窓３６，３６ａ，３６ｂの形状は、第１の層２１等を裁断する裁断機の刃の形状を変えることで自由に変更することができる。
【００４０】
したがって、窓の形状は、収納される情報記録媒体の種類に応じて、またそのコンテンツの内容に応じて、デザインが可能である。例えば、ＣＤの特定の部分のみを外部から見えるようにしたり、文字を表記する部分を残して残りの部分を除去したりすることが考えられる。また特定の文字の形状を彫りぬく等、窓の形状そのものが意味をもつように形成してもよい。
【００４１】
本発明に係る第２の実施形態の図書５０は、図１０および図２を参照して説明する。なお、第１の実施形態のディスクケース１と同じ機能を有する構成は、同一の符号を付してその説明を省略する。この図書５０は、いわゆる上製本の仕様で表紙５１が装丁されている。
【００４２】
図書５０は、図１０に示すように円形のディスク２を入れる収納部３１と、これに通じる開口部３２を形成する扉３５が形成された表紙５１と、文章や図柄などが掲載された書籍部５５とを有している。表紙５１は、芯材群６１と外装５２とを備える。芯材群６１は、表表紙５１ａの芯材１１と裏表紙５１ｂの芯材６３と背表紙５１ｃの芯材６４とで構成される。
【００４３】
外装５２は、表装シート５３と見返し５４とを備える。表装シート５３は、芯材群６１を四方から包む（くるむ）のに十分な大きさを有している。表装シート５３は、芯材群６１の芯材１１，６３，６４を一続きに覆って、外面側から貼り付けられ、その端部５３ａは、外縁を回って内側面に折り返されて貼り付けられる。各芯材１１，６３，６４は、表装シート５３で包まれ互いに連結された状態となる。
【００４４】
見返し５４は、一方の紙面５４ａが表表紙５１ａの内側と、他方の紙面５４ｂが書籍部５５の最外部５５ａと一続きに貼り付けられる。裏表紙５１ｂの内側にも同様の構成で見返しが貼り付けられる。見返し５４は、芯材群６１を包んだ表装シート５３の端部５３ａを表表紙５１ａの外形より内側で覆い隠す大きさで、書籍部５５の頁と同じ大きさを有している。表表紙５１ａの芯材１１を書籍部５５と結合させる。
【００４５】
本実施形態において、芯材１１は、第１の実施形態のディスクケース１の芯材１１と同じ積層で構成されている。したがって、詳細は、図１から図７を参照するものとし、ここでの記載を省略する。この場合、本実施形態における外装５２は、第１の実施形態二記載のディスクケース１の外装１２に相当する。表装シート５３は、第１の化粧シート２５に相当し、見返し５４は、第２の化粧シート２６に相当する。
【００４６】
続いてこの図書５０の製造方法について説明する。記録媒体の収納部を有する図書５０の製造方法は、第１の工程である積層工程と、第２の工程である表装シート貼付け工程と、第３の工程である表紙５１への見返し５４の貼付け工程と、第４の工程である裁断工程と、第５の工程である中抜工程と、第６工程である窓開け工程と、第７工程である書籍部５５への見開きの貼付け工程を有する。
【００４７】
ここで第１の工程である積層工程と、第４の工程である裁断工程と、第５の工程である中抜工程と、第６工程である窓開け工程は、第１の実施形態におけるそれぞれに対応する工程とその手順が全く同じなのでその説明は省略する。また工程順序も第１の実施形態における工程順序と全く同じなので、ここでは本実施形態における第２の工程、第３の工程、および第７の工程についてのみ説明する。
【００４８】
表装シート貼付け工程（第２の工程）では、まず第１の工程で積層した表表紙５１ａの芯材１１、背表紙５１ｃの芯材６４、裏表紙５１ｂの芯材６３を順に並べた芯材群６１を用意する。次に表表紙５１ａの芯材１１の第１の層側となる表紙５１の外側から芯材群６１の外周を包んで表紙５１の内側の外縁まで連続して貼り付けられる。これにより表紙５１の外周側面が美しく仕上がる。
【００４９】
表紙５１への見返し貼付け工程（第３の工程）では、表表紙５１ａの芯材１１と裏表紙５１ｂの芯材６３に対し書籍部５５を固定するためにそれぞれ見返し５４が貼り付けられる。表表紙５１ａへの見返し５４の貼り付けは、表表紙５１ａの芯材１１の外縁に沿って貼られた表装シート５３の端部５３ａを覆い隠すように、表紙５１の内側から貼られた見返し５４の一方の紙面５４ａの縁５４ｃが重ねて貼り付けられる。この結果、芯材群６１は、外装５２できれいに覆われると共に、表装シート５３の端部５３ａが見返し５４の縁５４ｃで隠れるので、見栄えがよい。裏表紙５１ｂに見返しを貼り付ける手順は、表表紙５１ａに見返し５４を貼り付ける手順と同じなので、その説明を省略する。
【００５０】
書籍部５５への見返し貼付け工程（第７の工程）では、表紙５１へ貼り付けた紙面５４ａとつながるもう一方の紙面５４ｂを書籍部５５に貼り付ける。これにより表紙５１と書籍部５５が一体化する。この場合、表紙５１と書籍部５５は一枚の見返しで結合されているので、その見栄えがよく、デザイン的な自由度も高くなる。第７の工程は、第４の工程および第６の工程が完了した後で行われる。
【００５１】
本発明に係る第３の実施形態の図書８０は、図１１を参照して説明する。なお、第１の実施形態に記載のディスクケース１または第２の実施形態に記載の図書５０と同じ機能を有する構成については、同一の符号を付してその説明を省略する。
【００５２】
図書８０は、図１１に示すように情報記録媒体である円形のディスク２を入れる収納部３１と、これに通じる開口部３２を形成する扉３５をもつ葉８１を有している。葉８１は、第１の実施形態に示したディスクケース１と同様の構成を有しており、外装が見開き紙面の隣合う頁と一続きに形成されている点が異なる。葉８１は、図２に示した断面構造を有して折、いわゆる上製本の表紙と同じつくりである。
【００５３】
なお、見開き紙面となる隣合う頁が同じく収納部３１を備えるよう８１である場合は、外装が一連につながって貼り付けられるものである。また、図１１において、各葉８１は、２つの収納部３１をそれぞれ有しているが、紙面の大きさに応じて１つ以上設けられるものである。
【００５４】
外装８２は、第１の見開きと８３と第２の見開き８４とを備える。第１の見開き８３は、芯材１１を四方から包み（くるみ）芯材１１を隣頁に貼り付けるのに十分な大きさを有している。第２の見開き８４は、芯材１１に対して第１の見開き８３と反対側から貼り付けられる。芯材１１を包んだ第１の見開き８３の縁部８３ａは、芯材１１の外形より内側で第２の見開き８４の縁８４ａによって覆い隠される。第１の見開き８３と第２の見開き８４とは、それぞれ隣合う頁を一連に形成する十分な大きさを有している。
【００５５】
第１の見開き８３は、一方の半紙面８３ｂによって芯材１１の一方の面、ここでは、第１の層２１に相当する面側から芯材１１を全て覆うように貼り付けられている。第１の見開き８３の縁部８３ａは、芯材１１の外周を包み、芯材１１のもう一方の側の外縁（第３の層の外縁２３ａに相当）まで連続して貼り付けられている。第１の見開き８３の残りの半紙面８３ｃは、ディスク収納機能を有する葉８１が挿入される頁間の隣りの頁と貼り合わされている。また、第２の見開き８４は、一方の半紙面８４ｂによって芯材１１の第３の層２３に相当する側から第１の見開き８３の縁部８３ａを縁８４ａで覆いながら芯材１１に貼り合わされる。第２の見開き８４の残りの半紙面８４ｃは、第１の見開き８３の側と反対側において隣り合う書籍部５５の最外部５５ａもしくは表紙５１の内側に貼り付けられる。
【００５６】
続いてこの図書８０の製造方法について説明する。図書８０の製造方法は、第１の工程である積層工程と、第２の工程である第１の見開き８３の貼付け工程と、第３の工程である第２の見開き８４の貼付け工程と、第４の工程である裁断工程と、第５の工程である中抜工程と、第６工程である窓開け工程と、書籍部５５や表紙とあわせる仕上げ工程とを有する。
【００５７】
ここで第１の工程である積層工程と、第４の工程である裁断工程と、第５の工程である中抜工程と、第６工程である窓開け工程は第１の実施形態におけるそれぞれに対応する工程とその手順が同じなのでその説明は省略する。また工程順序も第１の実施形態における工程順序と同じなので、ここでは本実施形態における第２の工程、および第３の工程についてのみ説明する。
【００５８】
第１の見開き８３の貼り付け工程（第２の工程）では、まず第１の見開き８３の半紙面８３ｂを用いて芯材１１の一方の面側から外周を包んで芯材１１の他方の面側の外縁まで連続して貼り付ける。これにより葉８１の外周側面が美しく仕上がる。第１の見開き８３の残りの半紙面８３ｃは、ディスク収納機能を有する葉８１が挿入された状態で隣合う頁と貼り合わされる。
【００５９】
第２の見開き８４の貼り付け工程（第３の工程）では、まず第２の見開き８４の半紙面８４ｂは、芯材１１の他方の面側から第１の見開き８３の縁部８３ａを縁８４ａで覆いながら第３の層２３に貼り合わせる。この結果、芯材１１は、外装できれいに覆われ、第１の見開き８３の縁部８３ａが第２の見返し８４の縁８４ａで隠れるので、見栄えがよい。
【００６０】
第２の見開き８４の残りの半紙面８４ｃは、葉８１が挿入される頁間の第１の見開き８３が貼り合わされた頁と逆側の頁へと貼り合わせる。これによりディスク収納機能を有する葉８１とその他の葉や書籍部５５が一体化する。この場合、葉８１と書籍部５５は一枚の見開きで結合されているので、その見栄えがよく、デザイン的な自由度も高くなる。この第２工程、第３工程は、ディスク２の収納部３１を有する葉８１を図書８０が持つ数だけ繰り返される。なお、第１の見開き８３の半紙面８３ｃと第２の見開き８４の半紙面８４ｃとは、窓開け工程や裁断工程の後、最後に図書８０として帳合されるときあるいは表紙５１と合わされる仕上げ工程において隣合う頁と貼り合わされると良い。
【００６１】
本発明に係る第４の実施形態の箱２００は、図１２および図２を参照して説明される。第１の実施形態に記載のディスクケース１や、第２、第３の実施形態に記載の図書５０,８０と同じ機能を有する構成は、同一の符号を付してその説明を省略する。図１２に示す箱は、先の実施形態で示した上製本の仕様で作られた外殻２０１と、この外殻２０１の内側に取り付けられる容器２０２とを備える。
【００６２】
外殻２０１は、第２の実施形態において示した図書５０の表紙５１と同じ作り方で作られる。外殻２０１は、天蓋２０１ａと側板２０１ｂと底板２０１ｃとがつながった状態である。天蓋２０１ａ、側板２０１ｂ、底板２０１ｃにはそれぞれ芯材群６１を構成する芯材１１，６４，６３が外装５２を構成する表装シート５３と見返し５４で包まれた状態である。
【００６３】
天蓋２０１ａの中央部には、見返し５４側に開く扉３５を有したディスク２の収納部３１が設けられている。底板２０１ｃの見返し５４側には、容器２０２が貼り付けられる。容器２０２は、有底の角形で、側板２０１ｂの長さと同じ高さを有している。容器２０２は、外殻２０１と同じように芯材を表装シートでくるんだものや、合成樹脂製のものなどで、内部に間仕切りを有していても良い。
【００６４】
以上の構成を有した箱２００は、天蓋２０１ａがディスク２の収納部３１を有しかつ上製本と同じ仕様で作られており、見栄えが良い。外殻２０１の製造方法は、第１の実施形態に示したディスクケース１や、第２の実施形態に示した図書５０の表紙５１と同じであるので説明を省略する。
【００６５】
本発明に係る第５の実施形態の箱２５０は、図１３を参照して説明する。なお、第１の実施形態に示したディスクケース１、第２および第３の実施形態に示した図書５０，８０、第４の実施形態に示した箱２００と同じ構成は、同一の符号を付してその説明を省略する。図１３に示す箱２５０は、角形の容器２０２に天蓋２０１ａがつながった形をしている。
【００６６】
天蓋は、図２に示すように、第１の実施形態に示したディスクケース１と同様の積層構造を有しており、第２の化粧シート２６の一辺が容器２０２の内側まで延びて貼り付けられた状態である。したがって、天蓋２０１ａを開けた状態で、容器２０２の内面と天蓋２０１ａの内側面となる第２の化粧シート２６とが一連につながっているので、見栄えが良い。
【００６７】
なお、各実施形態において、芯材および外装を構成する各部材は、紙の他に合成樹脂製のフィルムであってもよいし、革や金属箔であっても良い。
【図面の簡単な説明】
【００６８】
【図１】本発明に係る第１の実施形態のディスクケースを示す斜視図。
【図２】図１中に示したＦ２−Ｆ２線に沿うディスクケースの断面図。
【図３】図１に示したディスクケースの分解斜視図。
【図４】図３に示したディスクケースの芯材の第２の層の平面図。
【図５】図３に示したディスクケースの芯材の第４の層の平面図。
【図６】図３に示したディスクケースを組み立て中抜工程によって中抜を取り出した状態の斜視図。
【図７】図１に示したディスクケースの蓋を閉じてシールで風をした状態の斜視図。
【図８】図３に示したディスクケースの芯材の第２層の切込部の他の形状を示す平面図。
【図９】図１に示したディスクケースに設けられる窓の他の形状を示す平面図。
【図１０】本発明に係る第２の実施形態の図書を示す斜視図。
【図１１】本発明に係る第３の実施形態の図書を示す斜視図。
【図１２】本発明に係る第４の実施形態の箱を示す分解斜視図。
【図１３】本発明に係る第５の実施形態の箱を示す分解斜視図。
【符号の説明】
【００６９】
１…ディスクケース、２…ディスク（情報記録媒体）、１１…芯材、１２…外装、２１…第１の層、２２…第２の層、２３…第３の層、２３ａ…外縁、２４…第４の層、２４ａ…窓部材、２４ｂ…枠部材、２５…第１の化粧シート、２５ａ…縁部、２６…第２の化粧シート、２６ａ…端、３１…収納部、３２…開口部、３３…切込部、３４…断裁部、３５…扉、３６、３６ａ，３６ｂ…窓、３８…固定部、４４…中抜、５０…図書、５１…表紙、５１ａ…表表紙、５１ｂ…裏表紙、５１ｃ…背表紙、５２…外装、５３…表装シート、５３ａ…端部、５４…見返し、５４ｃ…縁、５５…書籍部、６１…芯材群、６３，６４…芯材、８０…図書、８１…葉、８２…外装、８３、８４…見開き、２０１…外殻（表紙）、２０１ａ…天蓋（ディスクケース）。
【図１】
2006117260.tif 000003
【図２】
2006117260.tif 000004
【図３】
2006117260.tif 000005
【図４】
2006117260.tif 000006
【図５】
2006117260.tif 000007
【図６】
2006117260.tif 000008
【図７】
2006117260.tif 000009
【図８】
2006117260.tif 000010
【図９】
2006117260.tif 000011
【図１０】
2006117260.tif 000012
【図１１】
2006117260.tif 000013
【図１２】
2006117260.tif 000014
【図１３】
2006117260.tif 000015